(57)【特許請求の範囲】
【請求項１】
内装パネルに設置されるネット付きポケットの製造方法において、
振動溶着装置の下部溶着冶具上に前記内装パネルを溶着部を上にして配置する内装パネル配置工程と、
前記内装パネルのポケット開口部の一部を覆う位置にネットを配置するネット配置工程と、
ポケット凹部を有するポケットパネルを前記ネット上に溶着部を下にして配置するポケットパネル配置工程と、
前記内装パネル、前記ネット及び前記ポケットパネルを前記下部溶着冶具との間に挟むように前記振動溶着装置の上部溶着冶具を配置する上部溶着冶具配置工程と、
前記下部溶着冶具と前記上部溶着冶具により挟まれた前記内装パネル、前記ネット及び前記ポケットパネルを振動溶着する振動溶着工程と
を有することを特徴とするネット付きポケットの製造方法。
【請求項２】
前記ポケットパネル配置工程は、前記ポケットパネルのポケット凹部外縁に設けられた溶着代が前記内装パネルの前記ポケット開口部外縁に設けられた溶着凹部に位置するように、前記ネット上に前記ポケットパネルを配置する工程を含むことを特徴とする請求項１記載のネット付きポケットの製造方法。
【請求項３】
前記ネット配置工程は、前記ネットの上端部に設けられた帯部の中に通された芯材端部を前記内装パネルに固定する工程を含むことを特徴とする請求項１記載のネット付きポケットの製造方法。
【発明の詳細な説明】
【０００１】
【発明の属する技術分野】
この発明は、車両の内装パネルに設置されたネット付きポケットの製造方法に関するものである。
【０００２】
【従来の技術】
従来、車両の内装パネル等には、乗員が使用する小物等を収納するためのネット付きポケットが設けられている。このネット付きポケットは、内装パネルのポケット開口部の周囲に設けられているピンにネット周端を掛けてネットを固定した後、内装パネルとポケットパネルとをねじにより固定する方法により、または、内装パネルの周囲にネットを固定するためのピンが設けられているネット固定用の枠を用いてネット固定した後、内装パネルとポケットパネルを固定する方法により製造されている。また、特開平１１−２９９５７３号公報には、ネットの固定方法としてネット周囲に設けられたフレームを溶解変形させてネットを固定する方法が開示されている。
【０００３】
【発明が解決しようとする課題】
しかし、上述の製造方法によりネット付きポケットを製造する場合には、ネットが適度に張られた状態を保つために内装パネルに多数のピンを設ける必要があり、またネットの周端をピンに掛けるという余分な工程が必要であった。また、ポケットパネルとネットを内装パネルに固定するためのボスを形成すると、内装パネルに引けが生じて外観を悪化させてしまうという問題があった。
【０００４】
この発明の課題は、見栄えの良い外観を有するネット付きポケットを容易に製造することができるネット付きポケットの製造方法を提供することである。
【０００５】
【課題を解決するための手段】
請求項１記載のネット付きポケット製造方法は、振動溶着装置の下部溶着冶具上に内装パネルを溶着部を上にして配置する内装パネル配置工程と、内装パネルのポケット開口部の一部を覆う位置にネットを配置するネット配置工程と、ポケット凹部を有するポケットパネルをネット上に溶着部を下にして配置するポケットパネル配置工程と、内装パネル、ネット及びポケットパネルを下部溶着冶具との間に挟むように振動溶着装置の上部溶着冶具を配置する上部溶着冶具配置工程と、下部溶着冶具と上部溶着冶具により挟まれた内装パネル、ネット及びポケットパネルを振動溶着する振動溶着工程とを有することを特徴とする。
【０００６】
この請求項１記載のネット付きポケット製造方法によれば、内装パネルを下部溶着冶具上に配置し、その上にネットを配置し、更にその上にポケットパネルを配置した後、内装パネル、ネット及びポケットパネルを下部溶着冶具との間に挟むように上部溶着冶具を配置して振動溶着により内装パネル、ネット及びポケットパネルを溶着する。従って、下部溶着冶具上にネットを配置することにより、ネットの垂れによるずれを防止することができる。また、ねじ止めのためのボスが不要となることから引け等が生じることが無いため、見栄えの良い外観を有するネット付きポケットを容易に製造することができる。更に、ねじを用いることなくネット付きポケットを設置することがでるため、質量の低減を図ることができると共に、コストの削減を図ることができる。
【０００７】
また、請求項２記載のネット付きポケット製造方法は、ポケットパネル配置工程がポケットパネルのポケット凹部外縁に設けられた溶着代が内装パネルのポケット開口部外縁に設けられた溶着凹部に位置するように、ネット上にポケットパネルを配置する工程を含むことを特徴とする。
【０００８】
この請求項２記載のネット付きポケットの製造方法によれば、内装パネルのポケット開口部外縁に設けられた溶着凹部にポケットパネルのポケット凹部外縁に設けられた溶着代が位置するようにネット上にポケットパネルを配置するため、ネット全体を別途固定することなく、ポケットパネル、ネット及び内装パネルを一度に確実に溶着することができる。
【０００９】
また、請求項３記載のネット付きポケットパネル製造方法は、ネット配置工程がネットの上端部に設けられた帯部の中に通された芯材端部を内装パネルに固定する工程を含むことを特徴とする。
【００１０】
この請求項３記載のネット付きポケットの製造方法によれば、ネットを内装パネルの上に配置した後に、ネット上端部に設けられた帯部の中に通された芯材端部を内装パネルに固定している。即ち、ネット上端部の帯部を内装パネル及びポケットパネルに溶着せずに別途固定することにより、未使用時であってもネットの形状を維持することができ、更に、使用時に開口部を大きく開けることができる。
【００１１】
【発明の実施の形態】
以下、図面を参照して、この発明の実施の形態にかかるネット付きポケットの製造方法について説明する。図１は、インストルメントパネル及びコンソールボックスを乗員シート側から視た図である。この図に示すように、ネット付きポケット２は、インストルメントパネル下部のコンソールボックスを形成する内装パネルに設置されている。
【００１２】
図２は、ネット付きポケット２の拡大図である。このネット付きポケット２は、略三角形をしたポケット凹部４ａを有するポケットパネル４、ポケット凹部４の一部を覆うように配置された上端部に帯部６ａを有するネット６及びポケットパネル４のポケット凹部４ａに対応する形状のポケット開口部を有する内装パネル８により構成されている。
【００１３】
次に、図３〜図５を参照してネット付きポケットの製造方法について説明する。図３は、図２に示すネット付きポケット２のＡ−Ａ断面図である。この図３に示すように、ネット付きポケット２は、内装パネル８とポケットパネル４とがネット６を挟むように配置され、内装パネル８、ネット６及びポケットパネル４が一体となるように固定されている。
【００１４】
また、図４は、図３に示すＡ−Ａ断面を用いてネット付きポケット２の製造工程を示す図である。この図４に示すように、ネット付きポケット２を製造する場合には、振動溶着装置の下部溶着冶具１０と上部溶着冶具１２との間に、ポケットパネル４、ネット６及び内装パネル８を配置する。具体的には、下部溶着冶具１０の内装パネル８の形状と一致する窪み部分に、溶着凹部（溶着部）８ａが設けられている面を上にして内装パネル８をはめ込むようにして内装パネル８を配置する。次に、内装パネル８のポケット開口部のうち、略三角形をしている底辺部分を含む略下半分を覆うようにしてネット６を配置し、ネット６の上端部に設けられている帯部６ａの芯材６ｂの両端部に設けられている固定環６ｃを内装パネル８に設けられているピン（図示せず）に掛けて固定する（図５参照）。
【００１５】
次に、内装パネルに固定されたネット６を、溶着代４ｂが設けられている面を下にしたポケットパネル４で挟むようにしてポケットパネル４を配置する。ここで、ポケットパネル４は、ポケットパネル４の溶着代４ｂが内装パネル８の溶着凹部８ａに位置するように配置される。なお、ポケットパネル４の溶着代４ｂは、ネット６の帯部６ａに対応する位置を除くポケット凹部４ａ外縁に設けられており（図５参照）、ポケットパネル８の溶着凹部８ａは、ポケット開口部の外縁に設けられている。
【００１６】
上述のように下部溶着冶具１０上に内装パネル８、ネット６及びポケットパネル４を配置した後に、ポケットパネル４上に上部溶着冶具１２を配置し、下部溶着冶具１０と上部溶着冶具１２により全体を固定して内装パネル８の溶着凹部８ａとポケットパネル４の溶着代４ｂとを圧接させる。そして、圧接した後に、振動溶着により内装パネル８にポケットパネル４及びネット６を同時に溶着する。ここで、振動溶着は、振動溶着装置の上下の溶着冶具１０，１２の何れか一方を固定し、固定していない一方を振動発生機構により特定の方向に振動させてポケットパネル４の溶着代４ｂを溶解させる。それにより、ポケットパネル４の溶着代４ｂが内装パネル８の溶着凹部８ａに溶着され、内装パネル８にポケットパネル４及びネット６を同時に固定される。なお、ポケットパネル４と内装パネル８はネット６を挟むように配置されているが、ポケットパネル４はネット６の網目の間で内装パネル８に固定される。
【００１７】
この実施の形態のネット付きポケット製造方法によれば、下部溶着冶具１０に内装パネル８の形状に沿った窪みが予め設けられており、その窪みに内装パネル８を配置し、配置した内装パネル８の上にネット６を配置している。従って、ネットを弛ませることなく、適度に張った状態を維持したままネットを固定することができ、ネットの垂れによるずれを防止することができる。
【００１８】
また、この実施の形態のネット付きポケット製造方法により製造されたネット付きポケット２は、図１に示すように、略三角形のポケット開口部の底辺部分を含む略下半分をネット６で覆われており、インストルメントパネル下部のコンソールボックスを形成する内装パネル８に設置されている。このネット付きポケット２は、ネットの上端部の帯部６ａの部分はポケットパネル４、内装パネル８に溶着されておらず、帯部６ａの中を通っている芯材６ｂの両端部に設けられている固定環６ｃが直接内装パネル８に固定されているため、未使用時であってもネットの形状を維持することができ、更に、使用時に開口部を大きく開けることができる。
【００１９】
また、振動溶着により内装パネル８にポケットパネル４及びネット６を固定しているため、ねじにより固定する場合と異なり、内装パネルに引けが生じることがなく、見栄えの良い外観を有するネット付きポケットを製造することができる。
【００２０】
また、ネットを固定するためのピンを内装パネルのポケット開口部の外縁に設ける必要がなく、ポケットパネル、ネット及び内装パネルを設置するためにねじを使用していないことから製造コストの低減を図ることができ、更に質量の低減を図ることができる。
【００２１】
【発明の効果】
この発明によれば、内装パネルを下部溶着冶具上に配置し、その上にネットを配置し、更にその上にポケットパネルを配置した後、内装パネル、ネット及びポケットパネルを下部溶着冶具との間に挟むように上部溶着冶具を配置して振動溶着により内装パネル、ネット及びポケットパネルを溶着する。従って、下部溶着冶具上にネットを配置することにより、ネットの垂れによるずれを防止しすることができる。また、ねじ止めのためのボスが不要となることから引け等が生じることが無いため、見栄えの良い外観を有するネット付きポケットを容易に製造することができる。更に、ねじを用いることなくネット付きポケットを設置することがでるため、質量の低減を図ることができると共に、コストの削減を図ることができる。
【００２２】
また、内装パネルのポケット開口部外縁に設けられた溶着凹部にポケットパネルのポケット凹部外縁に設けられた溶着代が位置するようにネット上にポケットパネルを配置するため、ネット全体を別途固定することなく、ポケットパネル、ネット及び内装パネルを一度に確実に溶着することがでる。
【００２３】
また、ネットを内装パネルの上に配置した後に、ネット上端部に設けられた帯部の中に通された芯材端部を内装パネルに固定している。即ち、ネット上端部の帯部を内装パネル及びポケットパネルに溶着せずに別途固定することにより、未使用時であってもネットの形状を維持することができ、更に、使用時に開口部を大きく開けることができる。
【図面の簡単な説明】
【図１】この発明の実施の形態にかかるネット付きポケットの設置場所を示す図である。
【図２】この発明の実施の形態にかかるネット付きポケットの拡大図である。
【図３】この発明の実施の形態にかかるネット付きポケット（図２）のＡ−Ａ断面図である。
【図４】この発明の実施の形態にかかるネット付きポケットの製造工程を説明するための図である。
【図５】この発明の実施の形態にかかるネット付きポケットのネットの帯部を固定する工程を説明するための図である。
【符号の説明】
２…ネット付きポケット、４…ポケットパネル、４ａ…ポケット凹部、４ｂ…溶着代、６…ネット、６ａ…帯部、６ｂ…芯材、６ｃ…固定環、８…内装パネル、１０…下部溶着冶具、１２…上部溶着冶具。
【図１】
0004666800.tif 000002
【図２】
0004666800.tif 000003
【図３】
0004666800.tif 000004
【図４】
0004666800.tif 000005
【図５】
0004666800.tif 000006